(57)【要約】【課題】サブ画素の形状が屈曲部を有するものとされておりながら、表示領域の端部が方形状となるようにされた、開口率が大きい横電界方式の液晶表示パネルを提供すること。【解決手段】屈曲部を有するサブ画素１１には、下電極１９と、屈曲部を有する複数のスリット状開口２３が形成されている上電極２２とが形成され、カラーフィルター基板には非表示領域を遮光することにより表示領域の開口を形成する遮光層２６、２６ａ及び２６ｂが形成されている横電界方式の液晶表示パネル１０において、非表示領域の遮光層２６、２６ａ及び２６ｂは、表示領域の最外周側が方形状となる形状に形成されていることを特徴とする。【選択図】  図２
2010286575.tif 000002
【特許請求の範囲】
【請求項１】
液晶層を挟持して対向配置された一対の基板を有し、
前記一対の基板の一方側には、表示領域に少なくとも一つの屈曲部を有する複数のサブ
画素がマトリクス状に配置され、前記複数のサブ画素にはそれぞれ少なくとも１つの屈曲
部を有する一対の電極が形成されており、
前記一対の基板の他方側には、前記複数のサブ画素間及び前記表示領域の外周側に位置
する非表示領域を遮光する遮光層が形成されている、
横電界方式の液晶表示パネルにおいて、
前記非表示領域の遮光層は、前記表示領域の最外周側が方形状となる形状に形成されて
いることを特徴とする液晶表示パネル。
【請求項２】
前記一対の基板の一方側には信号線及び走査線が形成され、前記信号線又は前記走査線
は前記サブ画素の形状に沿って屈曲されていることを特徴とする請求項１に記載の液晶表
示パネル。
【請求項３】
前記非表示領域の遮光層は、前記表示領域の最外周側に位置する前記サブ画素の最外側
が内角側であるとき、前記サブ画素の内角側の屈曲点上を通るように形成されていること
を特徴とする請求項２に記載の液晶表示パネル。
【請求項４】
前記非表示領域の遮光層は、前記表示領域の最外周側に位置する前記サブ画素の最外側
が外角側であるとき、前記サブ画素の外角側の端点上を通るように形成されていることを
特徴とする請求項２に記載の液晶表示パネル。
【請求項５】
前記表示領域の最外周側のサブ画素は、他のサブ画素よりも面積が大きくされているこ
とを特徴とする請求項１に記載の液晶表示パネル。
【請求項６】
前記表示領域の外側にはダミー画素が形成されており、前記ダミー画素は非駆動状態と
されていることを特徴とする請求項１に記載の液晶表示パネル。
【請求項７】
前記一対の電極は、下電極と、前記下電極上に形成された絶縁膜と、前記絶縁膜上に形
成され、前記サブ画素の形状に沿って屈曲するスリット状開口が形成された上電極とから
なることを特徴とする請求項１〜６の何れかに記載に液晶表示パネル。
【請求項８】
前記一対の電極は、互いに櫛歯状に対向配置されていると共に、互いに前記サブ画素の
形状に沿って屈曲していることを特徴とする請求項１〜６の何れかに記載の液晶表示パネ
ル。
【発明の詳細な説明】
【技術分野】
【０００１】
本発明は、横電界方式の液晶表示パネルに関し、特に、サブ画素の形状が屈曲部を有す
るものとされておりながら、表示領域の端部が方形状となるようにされた、開口率が大き
い横電界方式の液晶表示パネルに関する。
【背景技術】
【０００２】
液晶表示パネルは、ＣＲＴ（陰極線管）と比較して軽量、薄型、低消費電力という特徴
があるため、表示用として多くの電子機器に使用されている。液晶表示パネルは、ラビン
グ処理された配向膜を用いることにより所定方向に整列した液晶分子の向きを電界により
変えて、光の透過量ないし反射量を変化させて画像を表示させるものである。
【０００３】
液晶表示パネルの液晶層に電界を印加する方法として、縦電界方式のものと横電界方式
のものとがある。縦電界方式の液晶表示パネルは、液晶層を挟んで配置される一対の電極
により、概ね縦方向の電界を液晶分子に印加するものである。この縦電界方式の液晶表示
パネルとしては、ＴＮ（Twisted Nematic）モード、ＶＡ（Vertical Alignment）モード
、ＭＶＡ（Multi-domain Vertical Alignment）モード等のものが知られている。横電界
方式の液晶表示パネルは、液晶層を挟んで配設される一対の基板のうちの一方の内面側に
一対の電極を互いに絶縁して設け、概ね横方向の電界を液晶分子に対して印加するもので
ある。この横電界方式の液晶表示パネルとしては、一対の電極が平面視で重ならないＩＰ
Ｓ（In-Plane Switching）モードのものと、重なるＦＦＳ（Fringe Field Switching）モ
ードのものとが知られている。
【０００４】
このうち、ＩＰＳモードの液晶表示パネルは、画素電極と共通電極とからなる一対の電
極をそれぞれ互いに電気的に絶縁された状態で噛み合うようにくし歯状に形成し、画素電
極と共通電極との間に横方向の電界を液晶に印加するものである。このＩＰＳモードの液
晶表示装置は、縦電界方式の液晶表示装置よりも視野角が広いという利点を有している。
【０００５】
また、ＦＦＳモードの液晶表示パネルは、絶縁膜を介して上電極と下電極とからなる一
対の電極をそれぞれ異なる層に配置し、上電極にスリット状開口を設け、このスリット状
開口を通る概ね横方向の電界を液晶層に印加するものである。このＦＦＳモードの液晶表
示パネルは、広い視野角を得ることができると共に画像コントラストを改善できるという
効果があるので、近年、多く用いられるようになってきている。
【０００６】
横電界方式の液晶表示パネルでは、上電極に形成されたスリット状開口（ＦＦＳモード
の場合）或いは平面視で両電極間に形成される開口（ＩＰＳモードの場合。以下、この開
口も「スリット状開口」と表現する。）をラビング方向に対して僅かに傾斜するように延
在させて、同一方向に液晶分子が回転することができるようにしている。カラー表示用の
液晶表示パネルにおいては、このスリット状開口のラビング方向に対する傾斜角度を正負
の２つの領域に分けるマルチドメイン化により、視野角による色の変化を低減することが
できる。しかしながら、スリット状開口の端部は所望する方向の電界を形成し難いため、
延在方向が互いに異なるスリット状開口を分離させると、スリット状開口の端部の数が増
加するために開口率が低くなる。
【０００７】
そこで、下記特許文献１や特許文献２に開示されている液晶表示パネルでは、スリット
状開口に屈曲部を設けて、異なる方向に延在するスリット状開口を連結することによって
、マルチドメイン化を達成すると共に開口率が大きくなるようにしている。
【先行技術文献】
【特許文献】
【０００８】
【特許文献１】特開２００２−０１４３７４号公報
【特許文献２】特開２００８−０８３３８６号公報
【特許文献３】特許３１９４１２７号公報
【発明の概要】
【発明が解決しようとする課題】
【０００９】
上記特許文献１及び２に開示されている横電界方式の液晶表示パネルのように、縦横に
直線状に延在する信号線及び走査線で区切られたサブ画素に屈曲部を設けたスリット状開
口を形成すると、一部の電極の幅が太くなるので、スリット状開口から遠く離間して液晶
駆動用の電界の発生にあまり寄与しない電極の領域ができ、開口率が低下することとなる
。
【００１０】
このために、上記特許文献３に開示されているように、電極の形状が屈曲部を設けたス
リット状開口と同様の形状となるように、信号線又は走査線を屈曲部を設けたスリット状
開口と平行になるように屈曲させ、サブ画素がスリット状開口と同様の屈曲した形状とな
るようにすることが行われた。ここで、上記特許文献３に開示されている液晶表示パネル
５０を図８を用いて説明する。なお、図８は上記特許文献３に開示されている液晶表示パ
ネルの平面図及び部分拡大図である。
【００１１】
この液晶表示パネル５０は、１サブ画素分の部分拡大図（ａ）に示すように、ＦＦＳモ
ードの液晶表示パネルであり、上電極５１にスリット状開口５２が形成され、上電極５１
及び下電極５３は、スリット状開口５２と同様に、屈曲した形状を有している。このアレ
イ基板ＡＲは、ドライバ用端子５５とフレキシブルプリント基板用端子５６が配設されて
いる延在部５７を有する。アレイ基板ＡＲの延在部５７を除く部分はカラーフィルター基
板ＣＦが張り合わせられている。カラーフィルター基板ＣＦには非表示領域を遮光するこ
とにより表示領域の開口を形成する遮光層５８が成膜されている。
【００１２】
表示領域のサブ画素の上電極５１は、信号線５４の方向（図８のＹ軸方向）に延在する
スリット状開口５２を有している。なお、走査線５９は信号線５４と交差する方向（図８
のＸ軸方向）に直線状に延在しており、平面視で信号線５４及び走査線５９で囲まれたそ
れぞれの領域がサブ画素を形成する。スリット状開口５２は「く」字状の屈曲部６０を備
えている。スリット状開口５２は、図８のＹ軸方向に施されるラビング処理の方向に対し
て、正負逆方向に延在している。これにより、液晶表示パネル５０は視野角による色の変
化を低減することができるようになる。
【００１３】
そして、上電極５１、下電極５３及び信号線５４もそれぞれスリット状開口５２の屈曲
部６０に沿った屈曲部６１、屈曲部６２を備えている。これにより、スリット状開口５２
、上電極５１及び信号線５４が互いに平行となり、上電極５１に電界が弱くなる領域が形
成されなくなるので、上記特許文献１及び２に開示されている液晶表示パネルと比較して
、開口率が高くなる。
【００１４】
上述のように、信号線５４に屈曲部を設けてそれぞれのサブ画素が屈曲部を有するもの
とすると、特許文献３に示されるように、サブ画素間の光漏れを防止するためのカラーフ
ィルター基板の遮光層５８も信号線５４に沿った屈曲部を備えることになる。しかしなが
ら、これに伴って、図８の拡大図（ｂ）、（ｃ）に示すように、表示領域の開口端部を形
成する非表示領域の遮光層５８の最内周側も屈曲部を備えるようになるので、表示領域の
周辺がギザギザになるという問題点が発生する。かかる点は、ＩＰＳモードの液晶表示パ
ネルの場合においても同様に生じる問題点である。
【００１５】
本発明は上述のような従来技術の問題点に鑑みてなされたものである。すなわち、本発
明の目的は、それぞれのサブ画素の形状が屈曲部を有するものとされている横電界方式の
液晶表示パネルにおいて、表示領域の開口端部が方形状となるようにされた、開口率が大
きい横電界方式の液晶表示パネルを提供することにある。
【課題を解決するための手段】
【００１６】
上記目的を達成するため、本発明の液晶表示パネルは、液晶層を挟持して対向配置され
た一対の基板を有し、前記一対の基板の一方側には、表示領域に少なくとも一つの屈曲部
を有する複数のサブ画素がマトリクス状に配置され、前記複数のサブ画素にはそれぞれ少
なくとも１つの屈曲部を有する一対の電極が形成されており、前記一対の基板の他方側に
は、前記複数のサブ画素間及び前記表示領域の外周側に位置する非表示領域を遮光する遮
光層が形成されている、横電界方式の液晶表示パネルにおいて、前記非表示領域の遮光層
は、前記表示領域の最外周側が方形状となる形状に形成されていることを特徴とする。
【００１７】
本発明の横電界方式の液晶表示パネルは、一対の基板の一方側、すなわち、アレイ基板
側の表示領域に少なくとも一つの屈曲部を有する複数のサブ画素がマトリクス状に配置さ
れ、複数のサブ画素にはそれぞれ少なくとも１つの屈曲部を有する一対の電極が形成され
ている。このような構成を備えていると、表示に使用されない領域の面積が小さくなるの
で、開口率が大きく、明るい横電界方式の液晶表示パネルが得られる。しかしながら、一
対の基板の他方側、すなわちカラーフィルター基板には、複数のサブ画素間及び表示領域
の外周側に位置する非表示領域を遮光する遮光層が形成されているが、そのままでは、表
示領域の開口端部を形成する非表示領域の遮光層の最内周側も屈曲部を備えるようになる
ので、表示領域の周辺がギザギザになってしまう。
【００１８】
本発明の液晶表示パネルによれば、非表示領域の遮光層は表示領域の最外周側が方形状
となる形状に形成されているので、表示領域の開口端部が方形状となるようにすることが
でき、表示領域の周辺が滑らかになり、見栄えがよくなる。
【００１９】
本発明の液晶表示パネルにおいては、前記一対の基板の一方側には信号線及び走査線が
形成され、前記信号線又は前記走査線は前記サブ画素の形状に沿って屈曲されているもの
とすることができる。
【００２０】
サブ画素が屈曲部を備えている場合、信号線及び走査線の一方は屈曲したサブ画素の形
状に応じて屈曲され、信号線及び走査線の他方は直線状に延在される。そのため本発明の
液晶表示パネルによれば、一対の電極を信号線間及び走査線間の領域いっぱいまで配置で
きるので、開口率を向上させることができるようになる。なお、本発明は、サブ画素が信
号線に沿って列方向に屈曲している場合及び走査線に沿って行方向に屈曲している場合の
何れにおいても、上記本発明の効果を奏することができるようになる。
【００２１】
本発明の液晶表示パネルにおいては、前記非表示領域の遮光層は、前記表示領域の最外
周側に位置する前記サブ画素の最外側が内角側であるとき、前記サブ画素の内角側の屈曲
点上を通るように形成されていることが好ましい。
【００２２】
本発明の液晶表示装置によれば、開口率の低下を防ぎつつ、表示領域の周辺を滑らかに
することができるようになる。なお、表示領域の最外周側に位置するサブ画素の最外側が
内角側であるとき、非表示領域の遮光層によって表示領域の最外側に位置する内角側の屈
曲点よりも表示領域側まで遮光してしまうと、表示領域の周辺がギザギザは生じないが、
サブ画素の明るい領域が多く遮光されてしまうので好ましくない。同様に、非表示領域の
遮光層によって表示領域の最外側に位置する内角側の屈曲点よりも非表示領域側を被覆す
るようにすると、信号線又は走査線の外角側が表示領域側に露出するようになり、表示領
域の周辺にギザギザが現れ出すので、好ましくない。
【００２３】
本発明の液晶表示パネルにおいては、前記非表示領域の遮光層は、前記表示領域の最外
周側に位置する前記サブ画素の最外側が外角側であるとき、前記サブ画素の外角側の端点
上を通るように形成されていることが好ましい。
【００２４】
なお、本発明における「外角側の端点」とは、各サブ画素の四隅の角部のうちの外角側
の角部を意味する。本発明の液晶表示装置においても、開口率の低下を防ぎつつ、表示領
域の周辺を滑らかにすることができるようになる。なお、表示領域の最外周側に位置する
サブ画素の最外側が外角側であるとき、非表示領域の遮光層によって表示領域の最外側に
位置する外角側の端点を超えて表示領域側まで遮光してしまうと、表示領域の周辺がギザ
ギザは生じないが、各サブ画素の明るい領域が多く遮光されてしまうので好ましくない。
同様に、非表示領域の遮光層によって表示領域の最外側に位置する外角側の端点よりも非
表示領域側を遮光すると、信号線又は走査線の内角側が表示領域側に露出するようになり
、表示領域の周辺にギザギザが現れ出すので、好ましくない。
【００２５】
本発明の液晶表示パネルにおいては、前記表示領域の最外周側のサブ画素は他のサブ画
素よりも面積が大きくされていることが好ましい。
【００２６】
表示領域の最外周側のサブ画素が非表示領域の遮光層によって被覆されると、表示領域
の最外周側のサブ画素の開口部の面積が小さくなってしまう。本発明の液晶表示装置によ
れば、表示領域の最外周側のサブ画素は、他のサブ画素よりも面積が大きくされているの
で、表示領域の最外周側のサブ画素が非表示領域の遮光層によって被覆されても、開口部
の面積を他のサブ画素と同じにできるため、表示領域の最外周側のサブ画素が暗くなって
しまうことが抑制される。
【００２７】
本発明の液晶表示パネルにおいては、前記表示領域の外側にはダミー画素が形成されて
おり、前記ダミー画素は非駆動状態とされていることが好ましい。
【００２８】
ダミー画素は、サブ画素と同じ構成を模擬して、例えば静電気保護回路として作動させ
ることができるものである。横電界方式の液晶表示パネルでは、表示領域の最外周側のサ
ブ画素の更に外周側は、その外側の液晶が駆動されないため、ドメイン（配向不良）が生
じる。本発明の液晶表示パネルによれば、表示領域の最外周側のサブ画素の更に外周側に
生じるドメインを非表示領域の遮光層によって視認できない状態とすることができる。そ
のため、本発明の液晶表示パネルによれば、ダミー画素を設けても、表示領域の最外周側
のサブ画素の表示画質の低下が少なくなる。
【００２９】
本発明の液晶表示パネルにおいては、前記一対の電極は、下電極と、前記下電極上に形
成された絶縁膜と、前記絶縁膜上に形成され、前記サブ画素の形状に沿って屈曲するスリ
ット状開口が形成された上電極とからなるものとすることができる。
【００３０】
本発明の液晶表示パネルによれば、上記本発明の効果を奏するＦＦＳモードの液晶表示
パネルが得られる。
【００３１】
本発明の液晶表示パネルにおいては、前記一対の電極は、互いに櫛歯状に対向配置され
ていると共に、互いに前記サブ画素の形状に沿って屈曲しているものとすることができる
。
【００３２】
本発明の液晶表示パネルによれば、上記本発明の効果を奏するＩＰＳモードの液晶表示
パネルが得られる。
【図面の簡単な説明】
【００３３】
【図１】第１実施形態の液晶表示パネルの表示領域を示す平面図である。
【図２】図１のII部分の拡大図である。
【図３】図２のIII−III線の断面図である。
【図４】図２のIV−IV線の断面図である。
【図５】第２実施形態の液晶表示パネルを示す平面図である。
【図６】第３実施形態の液晶表示パネルを示す平面図である。
【図７】第４実施形態の液晶表示パネルを示す平面図である。
【図８】従来の液晶表示パネルの表示領域を示す平面図である。
【発明を実施するための形態】
【００３４】
以下、本発明の実施形態を、ＦＦＳモードの横電界方式の液晶表示パネルの場合を例に
とり、図面を参照しながら説明する。しかしながら、以下に示す実施形態は本発明をここ
に記載したものに限定することを意図するものではなく、本発明は特許請求の範囲に示し
た技術思想を逸脱することなく種々の変更を行ったものにも均しく適用し得るものである
。なお、この明細書における説明のために用いられた各図面においては、各層や各部材を
図面上で認識可能な程度の大きさとするため、各層や各部材毎に縮尺を異ならせて表示し
ており、必ずしも実際の寸法に比例して表示されているものではない。
【００３５】
［第１実施形態］
第１実施形態の液晶表示パネル１０の要部の構成を図１〜図４を用いて説明する。この
液晶表示パネル１０は、ＦＦＳモードで作動するものであり、マトリクス状に配置された
複数のサブ画素１１を有している。液晶表示パネル１０は、図３及び図４に示すように、
液晶層ＬＣがアレイ基板ＡＲとカラーフィルター基板ＣＦとの間に挟持されている。アレ
イ基板ＡＲは透明な絶縁性を有するガラスや石英、プラスチック等からなる第１透明基板
１２を基体としている。第１透明基板１２上には、液晶層ＬＣに面する側に、不透明なア
ルミニウムやモリブデン等の金属からなる走査線１３が図２のＸ軸方向（行方向）に形成
されている。走査線１３からはゲート電極Ｇが各サブ画素１１の例えば左下に延設されて
いる。
【００３６】
また、走査線１３とゲート電極Ｇを覆うようにして窒化ケイ素や酸化ケイ素等からなる
透明なゲート絶縁膜１４が積層されている。そして、平面視でゲート電極Ｇと重なるゲー
ト絶縁膜１４上には非晶質シリコンや多結晶シリコンなどからなる半導体層１５が形成さ
れている。また、ゲート絶縁膜１４上にはアルミニウムやモリブデン等の金属からなる複
数の信号線１６が、図１のＹ軸方向（列方向）に形成されている。これらの走査線１３及
び信号線１６によって区画された領域のそれぞれがサブ画素領域となる。この信号線１６
からはソース電極Ｓが延設され、このソース電極Ｓは半導体層１５の表面と部分的に接触
している。
【００３７】
さらに、信号線１６及びソース電極Ｓと同一の材料で同時に形成されたドレイン電極Ｄ
がゲート絶縁膜１４上に設けられており、このドレイン電極Ｄはソース電極Ｓと近接配置
されて半導体層１５の表面と部分的に接触している。R（赤）・G（緑）・B（青）の３つ
のサブ画素で略正方形の１画素（図示せず）を構成するので、これを３等分するサブ画素
１１は走査線１３側が短辺で信号線１６側が長辺の長方形となる。ゲート電極Ｇ、ゲート
絶縁膜１４、半導体層１５、ソース電極Ｓ、ドレイン電極Ｄによってスイッチング素子と
なる薄膜トランジスターＴＦＴが構成され、それぞれのサブ画素１１にこのＴＦＴが形成
されている。
【００３８】
さらに、信号線１６、薄膜トランジスターＴＦＴ及びゲート絶縁膜１４の露出部分を覆
うようにして例えば窒化ケイ素や酸化ケイ素等からなる透明なパッシベーション膜１７が
積層されている。そして、パッシベーション膜１７を覆うようにして、例えばフォトレジ
スト等の透明樹脂材料からなる層間樹脂膜１８が積層されている。そして、層間樹脂膜１
８を覆うようにしてＩＴＯ（Indium Thin Oxide）ないしＩＺＯ（Indium Zinc Oxide）等
の透明導電性材料からなる下電極１９が形成されている。第１層間樹脂膜１８とパッシベ
ーション膜１７を貫通してドレイン電極Ｄに達するコンタクトホール２０が形成されてお
り、このコンタクトホール２０を介して下電極１９とドレイン電極Ｄとが電気的に接続さ
れている。そのため、下電極１９は画素電極として作動する。
【００３９】
下電極１９を覆うようにして例えば窒化ケイ素や酸化ケイ素等からなる透明な電極間絶
縁膜２１が積層されている。そして、電極間絶縁膜２１を覆うようにしてＩＴＯないしＩ
ＺＯ等の透明導電性材料からなる上電極２２が形成されている。第１実施形態の液晶表示
装置１０では、この上電極２２は、表示領域の周辺部でコモン配線に接続されており（図
示せず）、共通電極として作動する。なお、液晶表示パネル１０では、上電極が画素電極
として作動され、下電極が共通電極として作動されるように構成されてもよい。
【００４０】
上電極２２には、図２に示すように、複数のスリット状開口２３が形成されている。ス
リット状開口２３はフォトリソグラフィー法によって上電極２２の表面に塗布されたフォ
トレジスト材料を露光及び現像した後、エッチングすることによって形成される。このス
リット状開口２３の具体的形状等については後述する。また、上電極２２を覆ってポリイ
ミドからなる第１配向膜２４が積層されている。第１配向膜２４には図２のＹ軸方向（信
号線１６の延在方向と略平行な方向）に液晶方向配向処理すなわちラビング処理が施され
ている。
【００４１】
カラーフィルター基板ＣＦは透明な絶縁性を有するガラスや石英、プラスチック等から
なる第２透明基板２５を基体としている。第２透明基板２５には、遮光層２６と、サブ画
素毎に異なる色の光（例えばＲ（赤）、Ｇ（緑）、Ｂ（青））を透過するカラーフィルタ
ー層２７が形成されている。遮光層２６は、表示領域内の走査線１３、信号線１６、ＴＦ
Ｔ、ドレイン電極Ｄと平面視で重なるように形成されている部分と、表示領域の開口を形
成するために第２透明基板２５の非表示領域を覆う部分に形成されている。ここで、表示
領域とは使用者によって視認できる画像が実質的に表示される領域である。
【００４２】
サブ画素１１の遮光層２６が形成されていない領域にはカラーフィルター層２７が形成
されている。遮光層２６とカラーフィルター層２７を覆うようにして例えばフォトレジス
ト等の透明樹脂材料からなるオーバーコート層２８が積層されている。このオーバーコー
ト層２８は異なる色のカラーフィルター層２７による段差を平坦にし、また、遮光層２６
やカラーフィルター層２７から流出する不純物が液晶層ＬＣに入らないように遮断するた
めに形成されているものである。オーバーコート層２８を覆うようにしてポリイミドから
なる第２配向膜２９が形成されている。第２配向膜２９には第１配向膜２４と逆方向のラ
ビング処理が施されている。
【００４３】
このようにして形成されたアレイ基板ＡＲ及びカラーフィルター基板ＣＦを互いに対向
させ、両基板の周囲にシール材（不図示）を設けることにより両基板を貼り合せ、両基板
間に液晶を充填することにより第１実施形態に係る液晶表示パネル１０が得られる。なお
、液晶層ＬＣを所定の厚みに保持するためのスペーサ（図示省略）がカラーフィルター基
板ＣＦに形成されている。なお、アレイ基板ＡＲはドライバ用端子３０とフレキシブルプ
リント基板用端子３１が配設されている延在部３２を有する。アレイ基板ＡＲの延在部３
２除く部分はカラーフィルター基板ＣＦが張り合わせられている。
【００４４】
上述の構成により、ＴＦＴがＯＮ状態になって下電極１９と上電極２２間に電圧が印加
されると、両電極１９、２２間に電界が発生して液晶層ＬＣの液晶分子の配向方向が変化
する。これにより、液晶層ＬＣの光透過率が変化して画像を表示することとなる。なお、
下電極１９と上電極２２と電極間絶縁膜２１により付随的に補助容量が形成され、ＴＦＴ
がＯＦＦになったときに両電極１９，２２間の電界を所定時間保持することができる。
【００４５】
次に上電極２２に形成されたスリット状開口２３について、図２を用いて詳述する。こ
のＦＦＳモードの液晶表示パネル１０では、電界は上電極２２とスリット状開口２３状開
口の下に位置する下電極１９との間の電位差によって生じる。電界はアレイ基板ＡＲの面
に略平行に生じ、平面視での電界の向きはスリット状開口２３の辺の法線方向となる。ス
リット状開口２３の両端では、電界方向がスリット状開口２３の長辺部分の電界方向とは
異なるため、リバースツイストドメインが発生する。このリバースツイストドメインは、
正常な表示ができないので、開口率低下の原因となる。
【００４６】
また、スリット状開口２３の両端近傍は、スリット状開口２３を閉結するための領域が
存在しているため、さらに開口率が低下する。本実施形態の液晶表示パネル１０における
サブ画素１１は縦長であるため、スリット状開口２３を横方向に延在させるとスリット状
開口２３の端部の数が多くなる。そこで、本実施形態の液晶表示パネル１０では、図２に
示すように、スリット状開口２３の延在方向を信号線１６の延在方向（図２のＹ軸方向）
にすることにより、スリット状開口２３の端部の数を少なくし、開口率が低くならないよ
うにしている。
【００４７】
ラビング処理の方向に対してスリット状開口２３の延在方向を所定角度（例えば約５度
〜約１５度）傾ける。これにより、液晶分子が同じ方向に回転することができるようにな
る。全てのスリット状開口２３を時計方向あるいは反時計方向にすると、液晶分子が同一
方向にねじれるために、視角方向によって色が変化する現象が現れる。これは、液晶分子
を見る方向によって見かけのリタデ−ションが変化するためである。これを低減するため
に、本実施形態の液晶表示パネル１０ではスリット状開口２３の延在方向が時計方向に対
して正負逆方向に傾く２つのドメインを設けている。即ち、マルチドメイン化である。
【００４８】
配向方向が異なるドメインのスリット状開口２３を分離させると、スリット状開口２３
の端部が増加するため、正常に表示できない領域の面積が増加するので、開口率が減少す
る。そこで、本実施形態の液晶表示パネル１０では、図２に示すように、スリット状開口
２３に屈曲部３３を設けることにより「く」字状にし、配向方向が異なるドメインを連結
している。なお、スリット状開口２３の屈曲部３３は、内角側の辺に形成された内角側屈
曲部３３ａ及び外角側の辺に形成された外角側屈曲部３３ｂからなる。このようにスリッ
ト状開口２３を「く」字状に折り曲げることによって、スリット状開口２３を分離した場
合に比べて正常に表示できない領域の面積が減少するので、開口率を大きくすることがで
きるようになる。
【００４９】
上述の理由で、本実施形態の液晶表示パネル１０では、上電極２２も信号線１６の延在
方向（図２のＹ軸方向）に延在し、屈曲部３４を設けることにより「く」字状に形成され
ている。この上電極２２の屈曲部３４も、内角側の辺に形成された内角側の屈曲部３４ａ
及び外角側の辺に形成された外角側の屈曲部３４ｂからなる。さらに、信号線１６にも屈
曲部３５を設けることにより「く」字状に形成されている。この信号線１６の屈曲部３５
も、内角側辺に形成された内角側の屈曲部３５ａ及び外角側の辺に形成された外角側の屈
曲部３５ｂからなる。これにより、信号線１６と上電極２２とがスリット状開口２３と平
行になるため、特許文献３に示されている液晶表示パネルのような電界強度が弱くなる領
域が生じないので、輝度の低下を防止することができるようになる。
【００５０】
この実施形態の液晶表示パネル１０では、上述の構成を備えていることにより、平面視
で信号線１６及び走査線１３によって囲まれた領域からなる各サブ画素１１は「く」字状
に屈曲された形状となっている。そして、各サブ画素１１の内角側の屈曲点をＥａとし、
各サブ画素１１の四隅の角部のうちの外角側の角部を端点Ｅｂとする。
【００５１】
信号線１６に屈曲部３５が形成されているので、表示領域の信号線１６と平面視で重畳
する遮光層２６も信号線１６の屈曲部３５に沿って屈曲されている。しかしながら、図１
に示すように、方形状の表示領域の開口を形成する非表示領域の遮光層２６ａ及び２６ｂ
は、屈曲されておらず、直線状に形成されている。すなわち、第１実施形態の液晶表示パ
ネル１０では、表示領域の最外周側に位置するサブ画素１１の最外側が内角側となるサブ
画素１１ａ（図２における右端）では、非表示領域の遮光層２６ａによってサブ画素１１
ａの内角側の屈曲点Ｅａを超えて表示領域側まで遮光されている。また、表示領域の最外
周側に位置するサブ画素１１の最外側が外角側となるサブ画素１１ｂ（図２における左端
）では、非表示領域の遮光層２６ｂによってサブ画素１１ｂの外角側の端点Ｅｂを超えて
表示領域側まで遮光されている。
【００５２】
これにより、表示領域の両端のサブ画素１１ａ及び１１ｂ側に形成されている信号線１
６が非表示領域の遮光層２６ａ及び２６ｂによって遮光されるために、表示領域にギザギ
ザが現れることがなくなり、表示領域の周辺を滑らかにすることができるようになる。
【００５３】
［第２実施形態］
次に第２実施形態の液晶表示パネル１０Ａを図５に基いて説明する。ただし、図５にお
いては、第１実施形態の液晶表示パネル１０と同一の構成部分には同一の参照符号を付与
してその詳細な説明は省略する。この第２実施形態の液晶表示パネル１０Ａが第１実施形
態の場合と相違する点は、表示領域の開口を形成する非表示領域の遮光層２６の大きさで
ある。
【００５４】
すなわち、第１実施形態の液晶表示パネル１０では、図２示したように、表示領域の最
外周側に位置するサブ画素１１の最外側が内角側となるサブ画素１１ａ（図２における右
端）では、非表示領域の遮光層２６ａによってサブ画素１１ａの内角側の屈曲点Ｅａを超
えて表示領域側まで遮光されている。また、表示領域の最外周側に位置するサブ画素１１
の最外側が外角側となるサブ画素１１ｂ（図２における左端）では、非表示領域の遮光層
２６ｂによってサブ画素１１ｂの外角側の端点Ｅｂを超えて表示領域側まで遮光されてい
る。このような構成とすると、アレイ基板ＡＲとカラーフィルター基板ＣＦとの重ね合わ
せずれや製造誤差等があっても、表示領域の周辺を滑らかにすることができる。
【００５５】
しかしながら、第１実施形態の液晶表示パネル１０では、非表示領域の遮光層２６ａ及
び２６ｂによって表示領域まで遮光してしまっているので、最外周側のサブ画素の面積が
小さくなって、他の部分のサブ画素の明るさよりも暗くなってしまう。そこで、第２実施
形態の液晶表示パネル１０Ａでは、表示領域の周辺にギザギザが生じない状態で最外周側
のサブ画素が最も明るくなるようにしたものである。
【００５６】
すなわち、第２実施形態の液晶表示パネル１０Ａは、表示領域の最外周側に位置するサ
ブ画素が最外側が内角側となるサブ画素１１ａであるとき、非表示領域の遮光層２６ａが
サブ画素１１ａの内角側の屈曲点Ｅａ上を通るように形成したものである。加えて、表示
領域の最外周側に位置するサブ画素が最外側が外角側となるサブ画素１１ｂであるとき、
非表示領域の遮光層２６ａが前記サブ画素の外角側の端点Ｅｂ上を通るように形成したも
のである。
【００５７】
このような構成の第２実施形態の液晶表示パネル１０Ａによれば、信号線１６は遮光膜
２６ａ及び２６ｂによって遮光されているために、表示領域の周辺にギザギザが生じない
状態となっている。しかも、第２実施形態の液晶表示装置１０Ａによれば、非表示領域の
遮光層２６ａ及び２６ｂをより表示領域側を被覆するようにすると表示領域の周辺にギザ
ギザが生じないがサブ画素の開口面積が減少するために暗くる。逆に、非表示領域の遮光
層２６ａ及び２６ｂをより非表示領域側に後退させると、サブ画素の開口面積が増大する
ので明るくなるが、表示領域の周辺に信号線１６が現れるようになるので、ギザギザが生
じるようになる。
【００５８】
従って、図５に示した第２実施形態の液晶表示装置１０Ａによれば、表示領域の周辺に
ギザギザが生じない状態でありながら、最も明るい状態となる。なお、第２実施形態の液
晶表示パネルでは、最外周側のサブ画素１１ａ及び１１ｂの何れも表示領域の周辺にギザ
ギザが生じない状態でありながら、最も明るい状態となるようにしたが、必ずしも両方と
もこのような状態とする必要はない。すなわち、最外周側のサブ画素１１ａ及び１１ｂの
一方側のみ第２実施形態の液晶表示パネル１０Ａの場合と同様の構成を採用し、他方側は
第１実施形態の液晶表示パネル１０の場合と同様の構成を採用してもよい。
【００５９】
［第３実施形態］
次に第３実施形態の液晶表示パネル１０Ｂを図６に基いて説明する。ただし、図６にお
いては、第１実施形態の液晶表示パネル１０と同一の構成部分には同一の参照符号を付与
してその詳細な説明は省略する。この第３実施形態の液晶表示パネル１０Ｂが第１実施形
態の液晶表示パネル１０の場合と構成が相違する点は、表示領域の最外周側のサブ画素１
１ａ及び１１ｂの大きさである。
【００６０】
第１実施形態の液晶表示パネル１０では、図２に示したように、サブ画素１１は、表示
領域の最外周側のサブ画素１１ａ及び１１ｂも含めて、いずれも同じ大きさである。これ
に対して、第３実施形態の液晶表示パネル１０Ｂでは、図６に示すように、表示領域の両
端以外のサブ画素１１では幅がＷＭで、右端のサブ画素１１ａの幅がＷＭよりも広いＷＲ
（ＷＲ>ＷＭ）とされ、左端のサブ画素１１ｂの幅がＷＭよりも広いＷＬ（ＷＬ>ＷＭ）と
されている。
【００６１】
このような構成とすると、表示領域の周辺部のサブ画素１１ａ及び１ｂのギザギザを解
消するために、非表示領域の遮光層２６ａ及び２６ｂにより表示領域側を多く被覆するよ
うにしても、表示領域の周辺のサブ画素１１ａ及び１１ｂの開口面積を他の部分のサブ画
素１１の開口面積と同じになるようにすることができる。そのため、第３実施形態の液晶
表示パネル１０Ｂによれば、表示領域の周辺部のサブ画素１１ａ及び１１ｂにギザギザが
生じることがなく、かつ、表示領域の周辺部のサブ画素１１ａ及び１１ｂの開口率を他の
部分のサブ画素１１の開口率と同じになるようにすることができるため、周辺部での発色
不良や明るさの低減を抑制することができるようになる。
【００６２】
［第４実施形態］
次に、第４実施形態の液晶表示パネル１０Ｃを図７に基いて説明する。ただし、図７に
おいては、第１実施形態の液晶表示パネル１０と同一の構成部分には同一の参照符号を付
与してその詳細な説明は省略する。この第４実施形態の液晶表示パネル１０Ｃが第１実施
形態の液晶表示パネル１０と構成が相違する点は、非表示領域のダミー画素の有無である
。
【００６３】
図７に示すように、第４実施形態の液晶表示パネル１０Ｃにおいては、遮光層２６で覆
われる非表示領域には、表示領域のサブ画素の外周側に隣接してダミー画素３６が配設さ
れている。このダミー画素３６は表示領域のサブ画素１１と同様な構成であるが、表示領
域のサブ画素１１、１１ａ及び１１ｂとは異なり、液晶層ＬＣに電界を印加されないよう
になっている。このダミー画素３６は、例えば、サブ画素と同じ構成を模擬し、ダミー画
素静電気保護回路を形成し、外部から侵入した静電気からの保護手段を形成するために使
用される。
【００６４】
このように、表示領域と非表示領域の境界部分で、電界が印加される領域と電界が印加
されない領域が隣接していると、電界が印加される表示領域の配向が乱れるためにドメイ
ン（配向不良）が生じることになる。しかしながら、第４実施形態の液晶表示パネル１０
Ｃにおいては、表示領域の最外周側のサブ画素１１ａ及び１１ｂのさらに外周側に生じる
ドメインは、非表示領域の遮光層２６ａ及び２６ｂによって視認できない状態とすること
ができるので、表示画質に悪影響を与えることがなくなる。
【００６５】
なお、上記実施形態ではサブ画素に「く」字状に屈曲する１つの屈曲部を備えたＦＦＳ
モードの液晶表示パネルの例を示したが、本発明はサブ画素にジグザグ状に複数の屈曲部
を備えたＦＦＳモードの液晶表示パネルに対しても適用することができる。さらに、上記
実施形態ではサブ画素として信号線に沿って「く」字状に屈曲する１つの屈曲部を形成し
たＦＦＳモードの液晶表示パネルの例を示したが、本発明はサブ画素として走査線に沿っ
て「く」字状に屈曲する１つの屈曲部ないしジグザグ状に複数の屈曲部を備えたＦＦＳモ
ードの液晶表示パネルに対しても適用することができる。さらに、上記実施形態では、Ｆ
ＦＳモードの液晶表示パネルの例を示したが、本発明は、ＩＰＳモードの液晶表示パネル
に対しても適用可能である。
【符号の説明】
【００６６】
１０…液晶表示パネル  １１、１１ａ、１１ｂ…サブ画素  １２…第１透明基板  １３
…走査線  １４…ゲート絶縁膜  １５…半導体層  １６…信号線  １７…パッシベーショ
ン膜  １８…層間樹脂膜  １９…下電極  ２０…コンタクトホール  ２１…電極間絶縁膜
２２…上電極  ２３…スリット状開口  ２４…第１配向膜  ２５…第２透明基板  ２６
…遮光層  ２７…カラーフィルター層  ２８…オーバーコート層  ２９…第２配向膜  ３
０…ドライバ用端子  ３１…フレキシブルプリント基板用端子  ３２…延在部  ３３…ス
リット状開口の屈曲部  ３３ａ…スリット状開口の内角側屈曲部  ３３ｂ…スリット状開
口の外角側屈曲部  ３４…上電極の屈曲部  ３４ａ…上電極の内角側屈曲部  ３４ｂ…上
電極の外角側屈曲部  ３５…信号線の屈曲部  ３５ａ…信号線の内角側屈曲部  ３５ｂ…
信号線の外角側屈曲部  ３６…ダミー画素  ＡＲ…アレイ基板  ＣＦ…カラーフィルター
基板  ＬＣ…液晶層  Ｅａ…サブ画素の内角側の屈曲部  Ｅｂ…サブ画素の外角側の端点
【図１】
2010286575.tif 000003
【図２】
2010286575.tif 000004
【図３】
2010286575.tif 000005
【図４】
2010286575.tif 000006
【図５】
2010286575.tif 000007
【図６】
2010286575.tif 000008
【図７】
2010286575.tif 000009
【図８】
2010286575.tif 000010